(57)【要約】      （修正有）【課題】ハンドドライヤーを人体に安定的に固定可能とするドライヤー保持具を提供することで、両手を自由に使えるようにする。【解決手段】ドライヤー保持具は、一本の連続した紐状部材３と、紐状部材が貫通するパッド部材２より構成され、紐状部材の長手方向の略中間部においてハンドドライヤーの把手部を保持するように形成されたループ部９を有し、ループ部より伸びる紐状部材の両端部の一方が、人体の首筋の部分に対応する位置に装着されるパッド部材の長手方向の一方の端部から他方の端部へと貫通するとともに、ループ部より伸びる紐状部材の両端部の他方が、人体の首筋の部分に対応する位置に装着されるパッド部材の長手方向の他方の端部から一方の端部へと貫通し、パッド部材を貫通した紐状部材の両端部のそれぞれによりハンドドライヤーの本体部を人体の顎部分に保持する。【選択図】図１
0003224605.tif 000002
【実用新案登録請求の範囲】
【請求項１】
把手部と本体部より構成されるハンドドライヤーを人体の顎部分で保持するためのドライヤー保持具であって、
少なくても一本の連続した紐状部材と前記紐状部材が貫通するパッド部材とより構成され、
前記紐状部材の長手方向の略中間部において前記ハンドドライヤーの把手部を保持するように形成されたループ部と、
前記ループ部より伸びる前記紐状部材の両端部の一方が、人体の首筋の部分に対応する位置に装着されるパッド部材の長手方向の一方の端部から他方の端部へと貫通しているとともに、
前記ループ部より伸びる前記紐状部材の両端部の他方が、人体の首筋の部分に対応する位置に装着されるパッド部材の長手方向の他方の端部から一方の端部へと貫通しており、
前記パッド部材を貫通した紐状部材の両端部のそれぞれは、前記ハンドドライヤーの本体部を前記人体の顎部分に保持するように、前記ハンドドライヤーの本体部分と係合するよう、前記紐状部材の両端を接続する位置を調整することで、前記紐状部材の全体の長さを可変可能に構成されている
ことを特徴とするドライヤー保持具。
【請求項２】
前記パッド部材の長手方向両端部のそれぞれに、上部側と下部側に前記紐状部材を貫通する貫通孔が設けられ、
前記紐状部材の両端部は、それぞれ前記パッド部材の上部または下部側から下部側または上部側へと貫通し、前記パッド部材の長手方向中央部において交差していることを特徴とする請求項１記載のドライヤー保持具。
【請求項３】
前記紐状部材の長手方向の略中間部にループ部を形成するためのループエンド金具を備えていることを特徴とする請求項１記載のドライヤー保持具。
【請求項４】
前記紐状部材の両端を接続する位置を調整のためのコードストッパーを備えていることを特徴とする請求項１記載のドライヤー保持具。
【考案の詳細な説明】
【技術分野】
【０００１】  本考案は、ハンドドライヤーを人体に固定するためのドライヤー保持具に関するものであり、特にシャンプー後の犬や猫の被毛を乾かす際に使用するハンドドライヤーを顎下に固定する保持具に関するものである。
【背景技術】
【０００２】  ハンドドライヤーにおいては、多くの用途としては、シャンプー後の毛を乾かすために使用されるが、特に業務用においては、ブローなどを行いながら、乾かす必要などがあり、ハンドドライヤーを片手に持って作業を行うことは非効率的である。【０００３】  そのために、特に犬や猫などの被毛を乾かす場合などは、天井に固定して使用するようなドライヤーや、台にハンドドライヤーを固定する器具も存在するが、高価であり、しかも、固定されているドライヤーの方向を調整する必要があり、作業が効率的ではなかった。【０００４】  一方で、ハンドドライヤーを何らかの形で人に固定することが出来れば、両手が自由になるということから、エプロンにハンドドライヤーを収納して使うというものが提案されている（特許文献１）。
【先行技術文献】
【特許文献】
【０００５】
【特許文献１】実用新案登録第３１１４５８３号公報
【考案の概要】
【考案が解決しようとする課題】
【０００６】  特許文献１に開示されたエプロンによるハンドドライヤーの固定では、両手が自由に使えるようになるものの、エプロンに収納されたドライヤーの熱風（送風）の方向を変更するには、体全体を動かして調整する必要があり、送風方向を容易に調整することは難しかった。従って、本考案では、ハンドドライヤーの送風方向を容易に調整可能なように、ハンドドライヤーを人体の顎部分で固定可能とするドライヤー保持具を提供することで、前述の問題を解決しようとするものである。
【課題を解決するための手段】
【０００７】  本考案は、把手部と本体部より構成されるハンドドライヤーを人体の顎部分で保持するためのドライヤー保持具であって、少なくても一本の連続した紐状部材と前記紐状部材が貫通するパッド部材とより構成され、前記紐状部材の長手方向の略中間部において前記ハンドドライヤーの把手部を保持するように形成されたループ部と、前記ループ部より伸びる前記紐状部材の両端部の一方が、人体の首筋の部分に対応する位置に装着されるパッド部材の長手方向の一方の端部から他方の端部へと貫通しているとともに、前記ループ部より伸びる前記紐状部材の両端部の他方が、人体の首筋の部分に対応する位置に装着されるパッド部材の長手方向の他方の端部から一方の端部へと貫通しており、前記パッド部材を貫通した紐状部材の両端部のそれぞれは、前記ハンドドライヤーの本体部を前記人体の顎部分に保持するように、前記ハンドドライヤーの本体部分と係合するよう、前記紐状部材の両端を接続する位置を調整することで、前記紐状部材の全体の長さを可変可能に構成されたドライヤー保持具を提供するものである。【０００８】  また、本考案のドライヤー保持具は、パッド部材の長手方向両端部のそれぞれに、上部側と下部側に紐状部材を貫通する貫通孔が設けられ、
前記紐状部材の両端部は、それぞれ前記パッド部材の上部または下部側から下部側または上部側へと貫通し、前記パッド部材の長手方向中央部において交差していることを一つの特徴とするものである。【０００９】  さらに、本考案のドライヤー保持具は、紐状部材の長手方向の略中間部に、ループ部を形成するためのループエンド金具を備えていることをさらなる特徴とするものである。【００１０】  さらに、本考案のドライヤー保持具は、紐状部材の両端を接続する位置を調整するためのコードストッパーを備えていることをさらなる特徴とするものである。
【考案の効果】
【００１１】  本考案によればハンドドライヤーが人体の顎部分（詳細には顎下の位置）で安定して固定することが可能となり、両手を離した状態でもずれたりすることなく両手をスムーズに動かすことができ、犬や猫を乾かすことができる。また、本考案によれば、ハンドドライヤーを人体の顎部分で固定しているため、頭や首を動かすことにより、容易にハンドドライヤーの送風方向を微調整することが可能であり、作業が著しく向上する。
【図面の簡単な説明】
【００１２】
【図１】本考案のドライヤー保持具の一実施例を示す図である。
【図２】本考案のドライヤー保持具の一実施例展開図である。
【図３】本考案のドライヤー保持具によるハンドドライヤーの固定状態を示す図である。
【図４】本考案のドライヤー保持具を使用してハンドドライヤーを人体に装着し、直立した状態での使用例を示す図である。
【図５】本考案のドライヤー保持具を使用してハンドドライヤーを人体に装着し、着席した状態での使用例を示す図である。
【考案を実施するための形態】
【００１３】  ドライヤー保持具は、把手部と本体部より構成されるハンドドライヤーを人体の顎部分で安定に固定するために、少なくても一本の連続した紐状部材と前記紐状部材が貫通するパッド部材とより構成される。この紐状部材においては、長手方向の略中間部においてハンドドライヤーの把手部を保持するように形成されたループ部を有し、このループ部より伸びる紐状部材の両端部の一方が、人体の首筋の部分に対応する位置に装着されるパッド部材の長手方向の一方の端部から他方の端部へと貫通しているとともに、ループ部より伸びる紐状部材の両端部の他方が、人体の首筋の部分に対応する位置に装着されるパッド部材の長手方向の他方の端部から一方の端部へと貫通している。そして、パッド部材を貫通した紐状部材の両端部のそれぞれは、ハンドドライヤーの本体部を人体の顎部分に保持するように、ハンドドライヤーの本体部分と係合するよう、紐状部材の両端を接続する位置を調整することで、紐状部材の全体の長さを可変可能に構成されている。
【実施例】
【００１４】  図１は、本考案のドライヤー保持具１の一実施例を示す図であり、図２は、図１の本考案のドライヤー保持具１の平面上に展開した図を示す。図１および図２に示すように本考案のドライヤー保持具１は、連続した一本の紐３と、袋帯状のパッド２より構成される。【００１５】  紐３は、これには限られないが、レーヨンの紐が使用可能である。それ以外にポリエステルなどの素材も使用可能であるが、毛がつき易く、すべりも悪いなどの欠点があり、本考案の一実施例においては、レーヨンを採用している。なお、本実施例においては、連続した一本の紐３より構成されているが、例えばより紐のように複数の紐から構成されていても良い。【００１６】  袋帯状のパッド２は、いろいろな素材が使用可能であるが、例えば、デニム素材が使用可能である。素材としては、ある程度しっかりした生地の方が紐３を通す場合など、取り扱いが容易となる。この実施例においては、１２ウォンス前後のデニム素材を使用した。【００１７】  袋帯状のパッド２は図に示すように、袋帯状に構成され、内部に紐３がパッド２を貫通することが出来るように、７ａ〜７ｄで示す挿通孔を有し、これらの孔を隔てるための所定の糸で６ａ〜６ｄに示すように縫われている。なお、図に示すようにパッド２の長手方向の中央部においては、７ａの挿通孔から挿入された紐３の一方が挿通孔７ｄに抜けるとともに、７ｂの挿通孔から挿入された紐３の他方が挿通孔７ｃへと抜けるように糸で縫われていない領域を有する。【００１８】  紐３は、長手方向中央部において、後述するハンドドライヤーの把手部分と係合するループ部９を有する。このループ部９は、そのループ径が調節可能に、ループエンド金具４が設けられている。このループエンド金具４に紐３は図に示すようにループエンド金具４の一方の穴から他方の穴へと挿通させることでループを形成している。【００１９】  ループエンド金具を挿通した紐３のそれぞれ３ａおよび３ｂは、一方の紐３ａ側が、パッド２の挿通孔７ａから挿通孔７ｄに向かって挿通されるとともに、他方の紐３ｂ側が、パッド３の挿通孔７ｂから挿通孔７ｃに向かって挿通されている。その結果、紐３はパッド２の長手方向中央において交差するように構成されている。【００２０】  そして、パッド２を挿通した紐３のそれぞれ３ａ’および３ｂ’は、留め具コードストッパー５に同じ方向から挿通される。そして、この留め具コードストッパー５により、紐３の全体の長さを調整可能となっている。【００２１】  図１および図２を使用して説明した本考案のドライヤー保持具１を使用したハンドドライヤーの保持状態を、図３を使用して説明する。図３に示すように、ハンドドライヤー８は、把手部分である８ｂとから略直角に屈曲したハンドドライヤー本体の先端に風吹き出し口８ａを有する。【００２２】  本考案のドライヤー保持具１のループエンド金具４により形成された紐のループ部は、ハンドドライヤー８の把手部８ｂの根元部分８ｂ’に装着される。装着方法については、把手部８ｂの下側端部側から挿入しても良いが、一般的には電源コードがあるため、いちいち電源コードを外す必要が出てくるので煩雑であるため、ループエンド金具４により形成されたループ部を多少大きくした状態でハンドドライヤー８の風吹き出し口８ａから挿入する方が使い勝手は良い。そして、ループエンド金具４により形成された紐３のループ部の大きさを調整することで、ループ部が把手部８ｂにフィットするように調整する。【００２３】  次に、パッド部分２について、図３には図示されていないが、人体の首筋側にこのパッド部分２を装着する。なお、この図示されない人体の首筋への装着は、上述したドライヤー保持具１のループエンド金具４により形成されたループ部のハンドドライヤー８の把手部８ｂの根元部分８ｂ’に装着される前に行った方が操作性は良い。【００２４】  そして、パッド２を挿通された紐３（図１および図２で示す３ａ’および３ｂ’の部分）を手で引きながら、図示しない人体の顎下部分にハンドドライヤー８の本体部がくるようにし、最後に、紐３（図１および図２で示す３ａ’、３ｂ’の部分）を留め具コードストッパー５に通すことで出来たスペース１２に下からハンドドライヤー８の吹き出し口８ａを通し、吹き出し口付け根８ａ’に留め具コードストッパー５をしめてハンドドライヤー８を固定する。【００２５】  図４および図５は、本考案のドライヤー保持具を使用してハンドドライヤー８を顎下に装着した状態で作業を行っている状態を示し、図４は直立した状態での作業の様子を示すとともに、図５では着席した状態での作業の様子を示す。【００２６】  乾かす対象であるシャンプー終了後の犬１０を作業台トリミングテーブル１１に乗せ、片手で犬１０を押さえもう片方の手で犬１０を梳かす為の道具スリッカーやコームを持ち、ハンドドライヤー８の温風を当て梳かしながら乾かしていく。【００２７】  ハンドドライヤー８が顎下の位置で安定して固定されているため、犬１０との距離が近くなり両手をスムーズに動かすことができる。また作業者が立った状態で上方向からハンドドライヤー８の風を当てるだけでなく、座った状態で下方向からハンドドライヤー８の風を当てて乾かす作業も無理なく行うことができる。
【符号の説明】
【００３０】１・・・ドライヤー保持具
２・・・袋帯状のパッド
３・・・紐
４・・・ループエンド金具
５・・・留め具コードストッパー
８・・・ハンドドライヤー
【図１】
0003224605.tif 000003
【図２】
0003224605.tif 000004
【図３】
0003224605.tif 000005
【図４】
0003224605.tif 000006
【図５】
0003224605.tif 000007